(57)【特許請求の範囲】
【請求項１】
撮影光学系により形成された被写体像を動画像として撮影するイメージセンサと、
前記撮影光学系の少なくとも一部をなす光学要素と前記イメージセンサの少なくとも一方を移動部材とし、この移動部材を前記撮影光学系の光軸と異なる方向に駆動することにより、被写体光束を前記イメージセンサの検出色の異なる複数の画素に入射させて光学的なローパスフィルタ効果を得る移動部材駆動機構と、
を有する動画撮影装置であって、
前記イメージセンサの撮影した動画像を画像表示部に表示させる表示制御部と、
前記イメージセンサの撮影した動画像を画像記録部に記録する動画記録制御部と、
前記イメージセンサを、前記画像記録部に記録する動画像を撮影する動画撮影動作と、前記動画像よりも粗いスルー画像を撮影するスルー画撮影動作のいずれかで動作させる撮影動作制御部と、
前記移動部材駆動機構により前記移動部材を駆動していない状態では、動画像を前記画像記録部に記録しないときは前記イメージセンサを前記スルー画撮影動作させて撮影したスルー画像を前記画像表示部に表示させ、前記移動部材駆動機構により前記移動部材を駆動している状態では、前記撮影した動画像を記録するしないにかかわらず、前記イメージセンサを前記動画撮影動作させて撮影した動画像を前記画像表示部に表示させる撮影動作選択部と、
を備えたことを特徴とする動画撮影装置。
【請求項２】
請求項１記載の動画撮影装置は、前記移動部材駆動機構を介して前記移動部材を光軸直交平面内で駆動するための駆動信号を生成する駆動信号生成部をさらに備え、該駆動信号生成部が生成する駆動信号は、前記動画撮影動作に応じて設定される動画撮影装置。
【請求項３】
請求項２記載の動画撮影装置において、前記イメージセンサのフレームレート及びスキャン方式は、前記動画撮影動作よりもスルー画撮影動作の方が、少なくとも低いフレームレートまたは粗いスキャン方式である動画撮影装置。
【請求項４】
請求項３記載の動画撮影装置において、前記表示制御部は、スルー画撮影動作しているときは撮影したスルー画像を前記画像表示部に表示し、前記移動部材駆動機構により前記移動部材を駆動している状態で前記動画撮影動作しているときは撮影した動画像を前記画像表示部に表示させる動画撮影装置。
【請求項５】
請求項１ないし４のいずれか１項記載の動画撮影装置において、前記表示制御部は、前記移動部材駆動機構により前記移動部材を駆動している状態では、前記画像表示部の表示用の画像として前記動画像を間引かずに使用する動画撮影装置。
【請求項６】
請求項１ないし５のいずれか１項記載の動画撮影装置において、前記移動部材駆動機構により前記移動部材を駆動している状態で動画撮影動作により撮影した動画像を前記表示制御部が前記画像表示部に表示する表示態様は、前記画像記録部に記録した動画像を前記表示制御部が前記画像表示部に表示する表示態様と同一である動画撮影装置。
【請求項７】
請求項３または４記載の動画撮影装置において、前記駆動信号生成部は、前記イメージセンサが動画撮影動作するフレームレート及びスキャン方式に応じた駆動周波数の駆動信号を生成する動画撮影装置。
【請求項８】
請求項７記載の動画撮影装置は、前記イメージセンサが動画像を撮影するフレームレート及びスキャン方式を設定するユーザインタフェースをさらに有し、
前記駆動信号生成部は、前記ユーザインタフェースにより設定されたフレームレート及びスキャン方式に応じて前記駆動周波数を変更する動画撮影装置。
【請求項９】
請求項１ないし８のいずれか１項記載の動画撮影装置は、スルー画像が前記画像表示部に表示された状態で、前記移動部材駆動機構により前記移動部材を駆動するか否か、または動画像が前記画像表示部に表示された状態で、前記移動部材駆動機構により移動部材を駆動するか否か及び駆動態様を変更可能なユーザインタフェースをさらに有する動画撮影装置。
【請求項１０】
撮影光学系により形成された被写体像を動画像として撮影するイメージセンサと、前記撮影光学系の少なくとも一部をなす光学要素と前記イメージセンサの少なくとも一方を移動部材とし、この移動部材を前記撮影光学系の光軸と異なる方向に駆動することにより、被写体光束を前記イメージセンサの検出色の異なる複数の画素に入射させて光学的なローパスフィルタ効果を得る移動部材駆動機構と、を有する動画撮影装置による動画撮影方法であって、
前記イメージセンサの撮影した動画像を画像表示部に表示する表示制御ステップと、
前記イメージセンサの撮影した動画像を画像記録部に記録する動画記録ステップと、
前記イメージセンサを、前記画像記録部に記録する動画像を撮影する動画撮影動作と、前記動画像よりも粗いスルー画像を撮影するスルー画撮影動作のいずれかで動作させる撮影動作制御ステップと、
前記移動部材駆動機構により前記移動部材を駆動していない状態では、動画像を前記画像記録部に記録しないときには前記イメージセンサを前記スルー画撮影動作させて撮影したスルー画像を前記画像表示部に表示させ、前記移動部材駆動機構により前記移動部材を駆動している状態では、前記撮影した動画像を記録するしないにかかわらず、前記イメージセンサを前記動画撮影動作させて撮影した動画像を前記画像表示部に表示させる撮影動作選択ステップと、
を有することを特徴とする動画撮影方法。
【請求項１１】
請求項１０記載の動画撮影方法は、前記移動部材駆動機構を介して前記移動部材を光軸直交平面内で駆動するための駆動信号を生成する駆動信号生成ステップをさらに含み、該駆動信号生成ステップで生成される駆動信号は、前記動画撮影動作に応じて設定される動画撮影方法。
【請求項１２】
請求項１１記載の動画撮影方法において、前記イメージセンサのフレームレート及びスキャン方式は、前記動画撮影動作よりもスルー画撮影動作の方が、少なくとも低いフレームレートまたは粗いスキャン方式である動画撮影方法。
【請求項１３】
請求項１２記載の動画撮影装置において、前記スルー画撮影動作しているときは撮影したスルー画像を前記画像表示部に表示し、前記動画撮影動作しているときは撮影した動画像を前記画像表示部に表示する動画撮影方法。
【請求項１４】
請求項１０ないし１３のいずれか１項記載の動画撮影方法において、前記移動部材駆動機構により前記移動部材を駆動している状態では、前記画像表示部の表示用の画像として前記動画像を間引かずに使用する動画撮影方法。
【請求項１５】
請求項１０ないし１４のいずれか１項記載の動画撮影方法において、前記移動部材駆動機構により前記移動部材を駆動している状態で動画撮影動作により撮影した動画像を前記画像表示部に表示する表示態様は、前記画像記録部に記録した動画像を前記画像表示部に表示する表示態様と同一である動画撮影方法。
【請求項１６】
請求項１２または１３記載の動画撮影方法において、前記駆動信号生成ステップは、前記イメージセンサが動画像を撮影するフレームレート及びスキャン方式に応じた駆動周波数の駆動信号を生成するステップである動画撮影方法。
【請求項１７】
請求項１６記載の動画撮影方法において、前記動画撮影装置は、前記イメージセンサが動画撮影動作するフレームレート及びスキャン方式を設定するユーザインタフェースをさらに有し、
前記駆動信号生成ステップは、前記ユーザインタフェースにより設定されたフレームレート及びスキャン方式に応じて前記駆動周波数を変更するステップを含む動画撮影方法。
【請求項１８】
請求項１０ないし１７のいずれか１項記載の動画撮影方法において、前記動画撮影装置は、スルー画像が前記画像表示部に表示された状態で、前記移動部材駆動機構により移動部材を駆動するか否か、または動画像が前記画像表示部に表示された状態で、前記移動部材駆動機構により移動部材を駆動するか否か及び駆動態様を変更可能なユーザインタフェースをさらに有する動画撮影方法。
【発明の詳細な説明】
【技術分野】
【０００１】
本発明は、移動部材（振れ補正部材）を撮影光学系の光軸と異なる方向に（例えば光軸直交平面内で）駆動することで光学的なローパスフィルタ効果を得る動画撮影装置及び動画撮影方法に関する。
【背景技術】
【０００２】
特許文献１には、撮像素子の動作態様に応じた画像データの読出し方法を選択することで、光学的なローパスフィルタ効果（モアレ除去効果）を高める撮像装置が開示されている。しかしながら特許文献１は、撮影前に光学的なローパスフィルタ効果を確認することを開示しておらず、動画撮影（動画像をメモリ等の記憶手段に記憶する「動画撮影」及び動画像を画像モニタ等の表示手段にリアルタイムで表示する「スルー画撮影（ライブビュー撮影）」の双方を含む）を行う場合について開示していない。そのため、動画撮影を開始する前及び動画撮影中に光学的なローパスフィルタ効果を確認できなかった。
【０００３】
特許文献２には、撮影光学系の一部をなす移動部材（振れ補正光学系）を光軸直交平面内で駆動（微小振動）することで、光学的なローパスフィルタ効果を得る撮影装置が開示されている。この従来技術は、専ら、静止画撮影を行う場合に移動部材をどのように駆動して光学的なローパスフィルタ効果を得るかに主眼を置いたものであり、「動画撮影」及び「スルー画撮影（ライブビュー撮影）」を行う場合については開示されていない。
【先行技術文献】
【特許文献】
【０００４】
【特許文献１】特開２００２−３６９０８３号公報
【特許文献２】特開２００２−３５４３３６号公報
【発明の概要】
【発明が解決しようとする課題】
【０００５】
近年、一眼レフカメラにおいても動画撮影が重視されてきている。本発明者によると、動画撮影する前のレリーズボタンを押していないスルー画撮影中と、レリーズボタンを押した動画撮影中の連続する表示において、動画撮影とスルー画撮影における撮像素子の間引き設定やフレームレート等が異なる場合に、これら２つの撮影において、モアレや偽色などを安定して除去できない（表示結果に差が生じる）ことが判明した。
【０００６】
本発明は、以上の問題意識に基づいてなされたものであり、移動部材を駆動することで光学的なローパスフィルタ効果を得る動画撮影装置及び動画撮影方法において、均一でムラのない光学的なローパスフィルタ効果を実現し、モアレ縞や偽色などを安定して除去するとともに、レリーズ前後における動画像の違和感をなくすことを目的とする。
【課題を解決するための手段】
【０００７】
本発明者は、動画撮影中に移動部材を駆動して光学的なローパスフィルタ効果を得るとき、動画撮影する前のスルー画撮影と、スルー画撮影に続く動画撮影とで、撮像素子の間引き設定やフレームレートが異なる場合に、これら２つの撮影において、モアレや偽色などを安定して除去できないことを見出して、本発明を完成させた。すなわち、本発明は、撮影光学系により形成された被写体像を動画像として撮影するイメージセンサと、前記撮影光学系の少なくとも一部をなす光学要素と前記イメージセンサの少なくとも一方を移動部材とし、この移動部材を前記撮影光学系の光軸と異なる方向に駆動することにより、被写体光束を前記イメージセンサの検出色の異なる複数の画素に入射させて光学的なローパスフィルタ効果を得る移動部材駆動機構と、を有する動画撮影装置であって、前記イメージセンサの撮影した動画像を画像表示部に表示させる表示制御部と、前記イメージセンサの撮影した動画像を画像記録部に記録する動画記録制御部と、前記イメージセンサを、前記画像記録部に記録する動画像を撮影する動画撮影動作と、前記動画像よりも粗いスルー画像を撮影するスルー画撮影動作のいずれかで動作させる撮影動作制御部と、前記移動部材駆動機構により前記移動部材を駆動していない状態では、動画像を前記画像記録部に記録しないときは前記イメージセンサを前記スルー画撮影動作させて撮影したスルー画像を前記画像表示部に表示させ、前記移動部材駆動機構により前記移動部材を駆動している状態では、前記撮影した動画像を記録するしないにかかわらず、前記イメージセンサを前記動画撮影動作させて撮影した動画像を前記画像表示部に表示させる撮影動作選択部と、を備えたことを特徴とする。
【０００８】
前記表示制御部は、スルー画撮影動作しているときは撮影したスルー画像を前記画像表示部に表示し、前記移動部材駆動機構により前記移動部材を駆動している状態で前記動画撮影動作しているときは撮影した動画像を前記画像表示部に表示させることが好ましい。
【０００９】
前記移動部材駆動機構を介して前記移動部材を光軸直交平面内で駆動するための駆動信号を生成する駆動信号生成部をさらに備え、該駆動信号生成部が生成する駆動信号は、前記動画撮影動作に応じて設定されることが実際的である。
【００１０】
前記イメージセンサのフレームレート及びスキャン方式は、前記動画撮影動作よりもスルー画撮影動作の方が、少なくとも低いフレームレートまたは粗いスキャン方式である。
【００１１】
前記表示制御部は、前記移動部材駆動機構により前記移動部材を駆動している状態では、前記画像表示部の表示用の画像として前記動画像を間引かずに使用することが実際的である。
【００１２】
前記移動部材駆動機構により前記移動部材を駆動している状態で動画撮影動作により撮影した動画像を前記表示制御部が前記画像表示部に表示する表示態様は、前記画像記録部に記録した動画像を前記表示制御部が前記画像表示部に表示する表示態様と同一である。
【００１３】
前記駆動信号生成部は、前記イメージセンサが動画撮影動作するフレームレート及びスキャン方式に応じた駆動周波数の駆動信号を生成することが好ましい。
【００１４】
前記イメージセンサが動画像を撮影するフレームレート及びスキャン方式を設定するユーザインタフェース（Ｕ／Ｉ）をさらに有し、前記駆動信号生成部は、前記ユーザインタフェースにより設定されたフレームレート及びスキャン方式に応じて前記駆動周波数を変更することが好ましい。
【００１５】
スルー画像が前記画像表示部に表示された状態で、前記移動部材駆動機構により移動部材を駆動するか否か、または動画像が前記画像表示部に表示された状態で、前記移動部材駆動機構により移動部材を駆動するか否か及び駆動態様を変更可能なユーザインタフェース（Ｕ／Ｉ）をさらに有することが好ましい。
【００１６】
本発明の動画撮影方法は、撮影光学系により形成された被写体像を動画像として撮影するイメージセンサと、前記撮影光学系の少なくとも一部をなす光学要素と前記イメージセンサの少なくとも一方を移動部材とし、この移動部材を前記撮影光学系の光軸と異なる方向に駆動することにより、被写体光束を前記イメージセンサの検出色の異なる複数の画素に入射させて光学的なローパスフィルタ効果を得る移動部材駆動機構と、を有する動画撮影装置による動画撮影方法であって、前記イメージセンサの撮影した動画像を画像表示部に表示する表示制御ステップと、前記イメージセンサの撮影した動画像を画像記録部に記録する動画記録ステップと、前記イメージセンサを、前記画像記録部に記録する動画像を撮影する動画撮影動作と、前記動画像よりも粗いスルー画像を撮影するスルー画撮影動作のいずれかで動作させる撮影動作制御ステップと、前記移動部材駆動機構により前記移動部材を駆動していない状態では、動画像を前記画像記録部に記録しないときには前記イメージセンサを前記スルー画撮影動作させて撮影したスルー画像を前記画像表示部に表示させ、前記移動部材駆動機構により前記移動部材を駆動している状態では、前記撮影した動画像を記録するしないにかかわらず、前記イメージセンサを前記動画撮影動作させて撮影した動画像を前記画像表示部に表示させる撮影動作選択ステップと、を有することを特徴とする。
【００１７】
前記スルー画撮影動作しているときは撮影したスルー画像を前記画像表示部に表示し、前記動画撮影動作しているときは撮影した動画像を前記画像表示部に表示することが好ましい。
【００１８】
前記移動部材駆動機構を介して前記移動部材を光軸直交平面内で駆動するための駆動信号を生成する駆動信号生成ステップをさらに含み、該駆動信号生成ステップで生成される駆動信号は、前記動画撮影動作に応じて設定されることが実際的である。
【００１９】
前記イメージセンサのフレームレート及びスキャン方式は、前記動画撮影動作よりもスルー画撮影動作の方が、少なくとも低いフレームレートまたは粗いスキャン方式とすることが実際的である。
【００２０】
前記移動部材駆動機構により前記移動部材を駆動している状態では、前記画像表示部の表示用の画像として前記動画像を間引かずに使用することが好ましい。
【００２１】
前記移動部材駆動機構により前記移動部材を駆動している状態で動画撮影動作により撮影した動画像を前記表示制御部が前記画像表示部に表示する表示態様は、前記画像記録部に記録した動画像を前記表示制御部が前記画像表示部に表示する表示態様と同一である。
【００２２】
前記駆動信号生成ステップは、前記イメージセンサが動画像撮影動作するフレームレート及びスキャン方式に応じた駆動周波数の駆動信号を生成するステップであることが好ましい。
【００２３】
本発明の動画撮影方法において、前記動画撮影装置は、前記イメージセンサが動画像を撮影するフレームレート及びスキャン方式を設定するユーザインタフェース（Ｕ／Ｉ）をさらに有し、前記駆動信号生成ステップは、前記ユーザインタフェースにより設定されたフレームレート及びスキャン方式に応じて前記駆動周波数を変更するステップを含むことが好ましい。
【００２４】
本発明の動画撮影方法にあっては、前記動画撮影装置が、前記スルー画像または動画像が前記画像表示部に表示された状態で、前記移動部材駆動機構による移動部材を駆動するか否か、または動画像が前記画像表示部に表示された状態で、前記移動部材駆動機構により移動部材を駆動するか否か及び駆動態様を変更可能なユーザインタフェース（Ｕ／Ｉ）をさらに有することが好ましい。
【発明の効果】
【００２５】
本発明によれば、移動部材を光軸直交平面内で駆動することで光学的なローパスフィルタ効果を得る動画撮影装置及び動画撮影方法において、光学的なローパスフィルタ効果を実現し、モアレ縞や偽色などを安定して除去するとともに、動画像を記録する前と記録中に表示される動画像のモアレと偽色等の出方をほぼ一致させることができる。
【図面の簡単な説明】
【００２６】
【図１】本発明によるデジタルカメラの要部構成を示すブロック図である。
【図２】本発明によるデジタルカメラの像振れ補正装置の要部構成を示すブロック図である。
【図３】本発明によるデジタルカメラの像振れ補正装置の構成を示す側面図である。
【図４】（Ａ）、（Ｂ）は所定軌跡を描くようにイメージセンサを駆動することで光学的なローパスフィルタ効果を与えるための動作を示す図であり、（Ａ）は撮影光学系の光軸を中心とする回転対称な正方形軌跡を描くようにイメージセンサを駆動する場合、（Ｂ）は撮影光学系の光軸を中心とする回転対称な円形軌跡を描くようにイメージセンサを駆動する場合をそれぞれ示している。
【図５】本発明によるデジタルカメラの移動部材駆動回路の構成を示す機能ブロック図である。
【図６】ＬＰＦ動作をオンにした場合とオフにした場合におけるイメージセンサの光軸直交平面内での動きを示す図である。
【図７】フレームレートの設定メニュー（ユーザインタフェース）の表示例を示す図である。
【図８】動画撮影モードによる撮影動作開始から終了までのフローチャートの一部を示す図である。
【図９】動画撮影モードによる撮影動作開始から終了までのフローチャートの一部を示す図である。
【図１０】（Ａ）はプログレッシブ方式のタイミングチャートを示す図、（Ｂ）はインタレース方式のタイミングチャートを示す図である。
【発明を実施するための形態】
【００２７】
図１ないし図１０を参照して、本発明によるデジタルカメラ（動画撮影装置）１０の一実施形態について説明する。
【００２８】
本明細書で「被写体の動画像を撮影する（動画撮影）」とは、被写体の動画像をメモリ等の画像記録部（画像メモリ２５）に記録する「動画撮影」及び被写体の動画像を画像モニタ等の画像表示部（ＬＣＤ２４）にリアルタイムで表示する「スルー画撮影（ライブビュー撮影）」の双方を含む概念である。
【００２９】
図１に示すように、デジタルカメラ１０は、ボディ本体２０と、このボディ本体２０に着脱可能（レンズ交換可能）な撮影レンズ３０とを備えている。撮影レンズ３０は、被写体側（図１中の左側）から像面側（図１中の右側）に向かって順に、撮影レンズ群（撮影光学系、移動部材、振れ補正部材）３１と、絞り（撮影光学系）３２とを備えている。ボディ本体２０は、被写体側（図１中の左側）から像面側（図１中の右側）に向かって順に、シャッタ（撮影光学系）２１と、イメージセンサ（移動部材、振れ補正部材）２２とを備えている。またボディ本体２０は、撮影レンズ３０を装着した状態で絞り３２とシャッタ２１を駆動制御する絞り／シャッタ駆動回路２３を備えている。撮影レンズ群３１から入射し、絞り３２とシャッタ２１を通った被写体光束による被写体像が、イメージセンサ２２の受光面上に形成される。イメージセンサ２２の受光面上に形成された被写体像は、マトリックス状に配置された多数の画素によって、電気的な画素信号に変換され、画像データ（静止画像データまたは動画像データ）としてＤＳＰ４０に出力される。
【００３０】
ＤＳＰ４０は、イメージセンサ２２の撮影した動画像からスルー画像を生成してそのスルー画像をＬＣＤ２４に表示する表示制御部４１と、イメージセンサ２２の撮影した動画像を所定フォーマットの動画データ（動画像）として画像メモリ２５に記録する動画記録制御部４２としての機能を有している。ＤＳＰ４０は、光学ローパスフィルタ効果がＯＦＦの場合、または一般的なカメラでの制御では、動画像を画像メモリ２５に記録しないスルー画撮影では、動画撮影のための設定よりも、記録する動画像より画像サイズが小さく（画素数が少なく）、フレームレートが低く、簡易なスキャンなど精度は低いが生成が容易なスルー画像が得られるようにイメージセンサ２２を撮影動作させ、撮影した動画像をＬＣＤ２４に表示する。一方、ＤＳＰ４０は、動画像を画像メモリ２５に記録する動画撮影では、設定された画像サイズ（画素数）、フレームレート、スキャン方式によりイメージセンサ２２を撮影動作させ、画像メモリ２５に記録した動画像を表示するとき同一の設定により、撮影した動画像をＬＣＤ２４に表示する。なお、撮影する動画像または記録した動画像の画像サイズ（画素数）がＬＣＤ２４に表示できる画像サイズ（画素数）より大きい場合、ＤＳＰ４０は、動画像をＬＣＤ２４の画像サイズに合わせてリサイズ（縮小、圧縮）して表示する。
またイメージセンサ２２は、動画撮影と静止画撮影が可能であって、動画撮影ではインタレーススキャン及びプログレッシブスキャンが可能な撮像素子、例えばＣＭＯＳセンサである。
【００３１】
撮影レンズ３０は、撮影レンズ群３１の解像力（ＭＴＦ）情報や絞り３２の開口径（絞り値）情報などの各種情報を記憶した通信用メモリ３３を搭載している。撮影レンズ３０をボディ本体２０に装着した状態では、通信用メモリ３３が記憶した各種情報がＤＳＰ４０に読み込まれる。
【００３２】
ボディ本体２０は、ＤＳＰ４０に接続させて、撮影操作スイッチ２６と、ローパスフィルタ操作スイッチ２７と、記録サイズ・フレームレート選択スイッチ２８を備えている。撮影操作スイッチ２６は、電源スイッチ（図示せず）、測光・ＡＦ動作を制御する第１スイッチＳＷ１、録画を制御する第２スイッチＳＷ２や、ＡＦ動作を制御するＡＦスイッチＳＷＡＦなどの各種スイッチからなる。
【００３３】
第１スイッチＳＷ１と第２スイッチＳＷ２は、ボディ本体２０に備えられた図示しない操作ボタンに連動するスイッチであって、操作ボタンが押される毎にオンする。ＡＦスイッチＳＷＡＦは、ユーザがボディ本体２０を保持した右手の親指でオン／オフ操作可能な位置に設けられた図示しないＡＦボタンに連動してオン／オフするスイッチである。このデジタルカメラ１０は、ＡＦスイッチＳＷＡＦがオンすると、ＡＦ動作のみ実行する。なお、このデジタルカメラ１０は、画像コントラスト法（山登り法）によるＡＦ動作を行う。第１スイッチＳＷ１、第２スイッチＳＷ２及びＡＦスイッチＳＷＡＦは、いわゆるレリーズボタンの半押し、全押しに連動させてもよい。
ローパスフィルタ操作スイッチ２７は、イメージセンサ２２を撮影光学系の光軸Ｚと直交する平面内（以下、光軸直交平面内と呼ぶことがある）で駆動するローパスフィルタ動作のオンオフ、強弱、特性の切替えなど、ローパスフィルタ動作に関する設定、動作を制御するためのスイッチである。イメージセンサ２２のローパスフィルタ動作については後に詳細に説明する。
記録サイズ・フレームレート選択スイッチ２８は、動画モードのときに、イメージセンサ２２により動画撮影した動画像データを画像メモリ２５に記録する記録サイズ、フレームレート及びスキャン方式（プログレッシブ／インタレーススキャン）を選択するスイッチである。
【００３４】
ボディ本体２０は、ＤＳＰ４０に接続させて、ジャイロセンサ（振れ検出部）ＧＳを備えている。ジャイロセンサＧＳは、ボディ本体２０に加わる移動角速度（Ｘ軸回りとＹ軸回り、またはＸ軸方向、Ｙ軸方向及びＺ軸回り）を検出することで、該ボディ本体２０の光軸直交平面内の振れを示す振れ検出信号を検出する。
【００３５】
図１ないし図３に示すように、イメージセンサ２２は、撮影光学系の光軸Ｚと直交するＸ軸方向とＹ軸方向（直交二方向）に移動可能に像振れ補正装置（移動部材駆動機構）５０に搭載されている。像振れ補正装置５０は、ボディ本体２０のシャーシなどの構造物に固定される固定支持基板５１と、イメージセンサ２２を固定した、固定支持基板５１に対してスライド可能な可動ステージ５２と、固定支持基板５１の可動ステージ５２との対向面に固定した磁石（永久磁石）Ｍ１、Ｍ２、Ｍ３と、固定支持基板５１に可動ステージ５２を挟んで各磁石Ｍ１、Ｍ２、Ｍ３と対向させて固定した、各磁石Ｍ１、Ｍ２、Ｍ３との間に磁気回路を構成する磁性体からなるヨークＹ１、Ｙ２、Ｙ３と、可動ステージ５２に固定した、前記磁気回路の磁界内において電流を受けることにより駆動力を発生する駆動用コイルＣ１、Ｃ２、Ｃ３を有する。像振れ補正装置５０は、駆動用コイルＣ１、Ｃ２、Ｃ３に駆動用の交流を流す（交流電圧を印加する）ことにより、固定支持基板５１に対して可動ステージ５２（イメージセンサ２２）が光軸直交平面内で移動するようになっている。駆動用コイルＣ１、Ｃ２、Ｃ３に流す駆動用の交流は、ＤＳＰ４０による制御の下、移動部材駆動回路（駆動信号生成部）６０によって生成される。移動部材駆動回路６０の構成及び該移動部材駆動回路６０が生成する駆動用の交流については後に詳細に説明する。
【００３６】
本実施形態では、磁石Ｍ１、ヨークＹ１及び駆動用コイルＣ１からなる磁気駆動手段と、磁石Ｍ２、ヨークＹ２及び駆動用コイルＣ２からなる磁気駆動手段（２組の磁気駆動手段）とがイメージセンサ２２の長手方向（水平方向、Ｘ軸方向）に所定間隔で配置され、磁石Ｍ３、ヨークＹ３及び駆動用コイルＣ３からなる磁気駆動手段（１組の磁気駆動手段）がイメージセンサ２２の長手方向と直交する短手方向（鉛直（垂直）方向、Ｙ軸方向）に配置されている。
【００３７】
さらに固定支持基板５１には、各駆動用コイルＣ１、Ｃ２、Ｃ３の近傍（中央空間部）に、磁石Ｍ１、Ｍ２、Ｍ３の磁力を検出して可動ステージ５２（イメージセンサ２２）の光軸直交平面内の位置を示す位置検出信号を検出するホールセンサＨ１、Ｈ２、Ｈ３が配置されている。ホールセンサＨ１、Ｈ２により可動ステージ５２（イメージセンサ２２）のＹ軸方向位置及び傾き（回転）が検出され、ホールセンサＨ３により可動ステージ５２（イメージセンサ２２）のＸ軸方向位置が検出される。ＤＳＰ４０は、移動部材駆動回路６０を介して、ジャイロセンサＧＳが検出したボディ本体２０の光軸直交平面内の振れを示す振れ検出信号と、ホールセンサＨ１、Ｈ２、Ｈ３が検出したイメージセンサ２２の光軸直交平面内の位置を示す位置検出信号とに基づいて、像振れ補正装置５０によってイメージセンサ２２を光軸直交平面内で駆動する。これにより、イメージセンサ２２上への被写体像の結像位置を変位させて、手振れに起因する像振れを補正することができる。本実施形態ではこの動作を「イメージセンサ２２の像振れ補正動作」と呼ぶ。
【００３８】
本実施形態の像振れ補正装置５０は、撮影光学系の光軸Ｚと直交する平面内において所定軌跡を描くようにイメージセンサ２２を駆動して、被写体光束をイメージセンサ２２の検出色の異なる複数の画素に入射させることにより、光学的なローパスフィルタ効果（ＬＰＦ効果）を与える。本実施形態ではこの動作を「イメージセンサ２２のローパスフィルタ動作（ＬＰＦ動作）」と呼ぶ。
【００３９】
図４（Ａ）、（Ｂ）を参照して、像振れ補正装置５０が、イメージセンサ２２を所定軌跡を描くように駆動して、該イメージセンサ２２によってＬＰＦ効果を与えるＬＰＦ動作について説明する。同図において、イメージセンサ２２は、受光面にマトリックス状に所定の画素ピッチＰで配置された多数の画素２２ａを備え、各画素２２ａの前面にベイヤ配列のカラーフィルタＲ、Ｇ、Ｂのいずれかが配置されている。各画素２２ａは、前面のいずれかのカラーフィルタＲ、Ｇ、Ｂを透過して入射した被写体光線の色を検出、つまり、色成分（色帯域）の光を光電変換し、その強さ（輝度）に応じた電荷を蓄積する。各画素２２ａが蓄積した電荷は、画素単位でインタレースまたはプログレッシブスキャンによって読み出され、電気的な画素信号に変換され、ＤＳＰ４０において所定の画像処理が施される。
【００４０】
図４（Ａ）は、イメージセンサ２２を、撮影光学系の光軸Ｚを中心とする回転対称な正方形軌跡を描くように駆動する場合を示している。この正方形軌跡は、例えば、イメージセンサ２２の画素ピッチＰを一辺とした正方形の閉じた経路とすることができる。図４（Ａ）では、イメージセンサ２２を、画素２２ａの互いに直交する並び方向の一方（鉛直方向）と平行なＹ軸方向、他方（水平方向）と平行なＸ軸方向に１画素ピッチＰ単位で交互にかつ正方形経路となるように移動させている。
【００４１】
図４（Ｂ）は、イメージセンサ２２を、撮影光学系の光軸Ｚを中心とする回転対称な円形軌跡を描くように駆動する（回転させる）場合を示している。この円形軌跡は、イメージセンサ２２の画素ピッチＰの２1/2／２倍を半径ｒとする円形の閉じた経路とすることができる。
【００４２】
図４（Ａ）、（Ｂ）のように、露光中にイメージセンサ２２を正方形または円形の所定軌跡（閉じた軌跡）を描くように駆動すると、各カラーフィルタＲ、Ｇ、Ｂ（画素２２ａ）の中央に入射した被写体光線（光束）が、４個のカラーフィルタＲ、Ｇ、Ｂ、Ｇに均等に入射するので、光学的なローパスフィルタと同等の効果が得られる。つまり、どのカラーフィルタＲ、Ｇ、Ｂ、Ｇ（画素２２ａ）に入射した光線も、必ずその周辺のカラーフィルタＲ、Ｇ、Ｂ、Ｇ（画素２２ａ）に入射するので、恰も光学的なローパスフィルタを光線が通過したのと同等の効果（ＬＰＦ効果）が得られる。
【００４３】
さらに、イメージセンサ２２の駆動範囲（回転範囲）を段階的に切り替える（正方形軌跡の場合は一辺の長さを異ならせ、円形軌跡の場合は半径ｒを異ならせる）ことで、イメージセンサ２２によるＬＰＦ効果の強弱や特性を段階的に切り替えることができる。つまり、正方形軌跡の一辺または円形軌跡の半径ｒを長くする（被写体光線が入射するイメージセンサ２２の検出色の異なる画素２２ａ（カラーフィルタＲ、Ｇ、Ｂ、Ｇ）に入射する画素２２ａの範囲を拡大する）ことでＬＰＦ効果が強くなり、一方、正方形軌跡の一辺または円形軌跡の半径ｒを短くする（被写体光線が入射するイメージセンサ２２の検出色の異なる画素２２ａ（カラーフィルタＲ、Ｇ、Ｂ、Ｇ）に入射する画素２２ａの範囲を縮小する）ことでＬＰＦ効果が弱くなる。表１に示すように、本実施形態では、イメージセンサ２２の駆動範囲ならびにＬＰＦ効果を「ＯＦＦ」、「小」、「中」、「大」の４段階で切り替えることができる。イメージセンサ２２の駆動範囲ならびにＬＰＦ効果が「ＯＦＦ」とは、イメージセンサ２２を駆動することなく、従ってＬＰＦ効果が得られない状態を意味する。
【表１】
0006586732.tif 000002
【００４４】
イメージセンサ２２の駆動範囲ならびにＬＰＦ効果の切り替えは、例えば、ユーザがローパスフィルタ操作スイッチ２７を手動操作して行う態様、あるいはＤＳＰ４０が種々の撮影条件パラメータに基づいて自動で行う態様が可能であり、その態様には自由度がある。
【００４５】
図１、図２、図５に示すように、デジタルカメラ１０は、駆動用コイルＣ１、Ｃ２、Ｃ３に駆動用の交流を流すことで、像振れ補正装置５０を介してイメージセンサ２２を光軸直交平面内で駆動する移動部材駆動回路（駆動信号生成部）６０を有している。イメージセンサ２２の移動軌跡（駆動範囲）は、駆動用の交流の振幅により設定され、一周する周期は駆動用の交流の周波数（駆動周波数・周期）により設定される。この移動部材駆動回路６０の動作全般はＤＳＰ４０によって制御される。
【００４６】
図５に示すように、移動部材駆動回路６０は、加算部６１と、ゲイン部６２と、微小振動用信号生成部６３と、ＬＰＦスイッチ６４と、重畳合成部６５と、コントローラ６６とを有している。
加算部６１は、ジャイロセンサＧＳが検出したボディ本体２０の光軸直交平面内の振れを示す振れ検出信号に加算処理を施す。
ゲイン部６２は、加算部６１が加算処理を施した振れ検出信号を増幅する。ゲイン部６２は、撮影レンズ３０とのレンズ通信で取得した該撮影レンズ３０の焦点距離情報に応じて、加算部６１が加算処理を施した振れ検出信号を増幅する。つまり、撮影レンズ３０の焦点距離情報は、ゲイン部６２が振れ検出信号を増幅するためのゲインに含まれる。
微小振動用信号生成部６３は、駆動用コイルＣ１、Ｃ２、Ｃ３を介して、イメージセンサ２２を光軸直交平面内で微小回動させてＬＰＦ効果を得るための微小振動用信号（交流駆動信号）を生成する。
ＬＰＦスイッチ６４は、微小振動用信号生成部６３が生成した微小振動用信号の通過と遮断を切り替えることにより、イメージセンサ２２を光軸直交平面内で微小回転させてＬＰＦ効果を得るか否か（ＬＰＦ動作させるか否か）を切り替えるためのスイッチである。
重畳合成部６５は、微小振動用信号生成部６３が生成した微小振動用信号と、加算部６１が加算処理を施してゲイン部６２が増幅した振れ検出信号とを重畳合成することにより、像振れ補正装置５０を介してイメージセンサ２２を光軸直交平面内で駆動するための駆動信号を生成する。
コントローラ６６は、重畳合成部６５が生成した駆動信号を駆動用コイルＣ１、Ｃ２、Ｃ３に流すことで、イメージセンサ２２を光軸直交平面内で駆動して、イメージセンサ２２に像振れ補正動作とＬＰＦ動作を実行させる。コントローラ６６によるコントロールの方式としては例えばＰＩＤ制御などがある。ＰＩＤ制御の場合、コントローラ６６からは、ＰＷＭ制御により駆動用コイルＣ１、Ｃ２、Ｃ３を駆動するためのデューティ比が出力される。
【００４７】
続いて、イメージセンサ２２による動画撮影と、ＬＰＦ動作を制御するためのＤＳＰ４０の構成について説明する。ＤＳＰ４０は、記録サイズ設定部と、フレームレート設定部と、ＬＰＦ動作用の駆動周波数設定部としての機能を有している。
【００４８】
ＤＳＰ４０（記録サイズ設定部）は、被写体の動画像を撮影して記録する際の記録サイズ（画素数、アスペクト比）を設定する。例えば、ＦｕｌｌＨＤ（画素数１９２０×１０８０、アスペクト比１６：９、フレームレート６０ｆｐｓ／５０ｆｐｓ／３０ｆｐｓ／２５ｆｐｓ／２４ｆｐｓ）、ＨＤ（画素数１２８０×７２０、アスペクト比１６：９、フレームレート３０ｆｐｓ／２５ｆｐｓ／２４ｆｐｓ）、ＶＧＡ（画素数６４０×４８０、アスペクト比４：３、フレームレート３０ｆｐｓ／２５ｆｐｓ／２４ｆｐｓ）の中から選択できるものとする。
【００４９】
ＤＳＰ４０（フレームレート設定部）は、被写体の動画像を撮影する際のイメージセンサ２２のフレームレートを、設定された記録サイズに応じて設定可能なフレームレートの中から設定する。ＤＳＰ４０が設定するフレームレートは、例えば、図７に示したように、記録サイズがＦｕｌｌＨＤのときは２４［Ｈｚ（ｆｐｓ）］、２５［Ｈｚ（ｆｐｓ）］もしくは３０［Ｈｚ（ｆｐｓ）］のプログレッシブスキャン、または５０［Ｈｚ（ｆｐｓ）］もしくは６０［Ｈｚ（ｆｐｓ）］のインタレーススキャンｎから選択的に設定できるものとする。
【００５０】
ＤＳＰ４０（駆動周波数設定部）は、設定したフレームレートに応じて、移動部材駆動回路６０が生成する駆動信号の駆動周波数を制御する。ＤＳＰ４０は、２４［Ｈｚ（ｆｐｓ）］、２５［Ｈｚ（ｆｐｓ）］または３０［Ｈｚ（ｆｐｓ）］のプログレッシブスキャンの場合には、移動部材駆動回路６０が生成する駆動信号の駆動周波数をそれぞれ２４Ｈｚ、２５Ｈｚ、３０Ｈｚまたはこれらの整数倍とする。ＤＳＰ４０は、５０［Ｈｚ（ｆｐｓ）］または６０［Ｈｚ（ｆｐｓ）］のインタレーススキャンの場合には、駆動周波数をそれぞれ１００Ｈｚと１２０Ｈｚ、またはこれらの整数倍の周波数を設定する。
【００５１】
図１０は、プログレッシブスキャンとインタレーススキャンの１フレーム分の画像の露光タイミングを説明するタイミングチャートである。縦軸は信号レベル、横軸は時間である。プログレッシブの場合、１フレーム内の偶数行も奇数行も同時に露光する。このため、露光期間とイメージセンサ２２のＬＰＦ駆動周期を合わせれば、露光開始時のイメージセンサ２２の円運動の位相は、フレーム間で一致する。一方、インタレースの場合、１フレーム内の偶数行と奇数行で露光タイミングは半周期ずれている。このため、イメージセンサ２２のＬＰＦ駆動周期を露光期間の半分に合わせれば、露光開始時のイメージセンサ２２の円運動の位相は、フレーム間、偶数行と奇数行とで一致する。このようにどこのフレームのどの画素でも、露光開始時の円運動の位相を合わせることで、均一でムラのない光学的なローパスフィルタ効果を実現し、モアレ縞や偽色などを安定して除去することができる。
【００５２】
ところが、仮に、フレームの周波数とイメージセンサ２２のＬＰＦ駆動周波数が異なった場合には、｜（動画のフレームの周波数） − （イメージセンサ２２の回転の周波数）｜のうなりが発生する。モアレの取り残しがうなりの周波数で、緑、マゼンタ、緑、マゼンタと色が変わるため、特に三脚などカメラ固定の場合に著しく品位が悪くなってしまう。
【００５３】
図６は、ＬＰＦ動作をオンにした場合とＬＰＦ動作をオフにした場合におけるイメージセンサ２２の光軸直交平面内での動きをグラフで示している。同図において、横軸は時間、縦軸は移動量を示しており、縦軸の移動量についてはＸ方向移動量とＹ方向移動量に分けて示している。本実施形態で設定されたフレームレートは２５［Ｈｚ（ｆｐｓ）］であり、移動部材駆動回路６０が生成する駆動信号の駆動周波数は２５［Ｈｚ］である。この設定により、動画撮影の１フレームでイメージセンサ２２が１周する。同図に明らかなように、ＬＰＦ動作がオフの場合には、ジャイロセンサＧＳから求められる制御目標に追従してイメージセンサ２２が駆動される。一方、ＬＰＦ動作がオンの場合には、ジャイロセンサＧＳから求められる制御目標に微小振動用信号生成部６３が生成した微小振動用信号（ＬＰＦ動作用の駆動信号）が重畳されて、イメージセンサ２２が駆動される。
【００５４】
ＤＳＰ４０は、イメージセンサ２２を、撮影した動画像を画像メモリ２５に記録せずＬＣＤ２４に表示するために撮影動作させるスルー画撮影動作と、撮影した動画像を画像メモリ２５に記録し、かつＬＣＤ２４に表示する動画撮影動作させる撮影動作制御部４３と、像振れ補正装置５０によりイメージセンサ２２をＬＰＦ動作させている状態では、イメージセンサ２２の撮影した動画像を画像メモリ２５に記録するしないにかかわらず動画撮影動作させ、像振れ補正装置５０によりイメージセンサ２２をＬＰＦ動作させない状態において、撮影した動画像を画像メモリ２５に記録しないときにはイメージセンサ２２をスルー画撮影動作させ、撮影した動画像を画像メモリ２５に記録するときにはイメージセンサ２２を動画撮影動作させる撮影動作選択部４４としての機能を有している。
【００５５】
ＤＳＰ４０は、動画撮影において、ＬＰＦ動作させるときには、イメージセンサ２２が撮影した動画像を画像メモリ２５に記録する前から、ＬＰＦ動作させながらイメージセンサ２２を動画撮影動作させて撮影した動画像をＬＣＤ２４に表示し、第２スイッチＳＷ２がオンすると、イメージセンサ２２が撮影した動画像を、ＬＣＤ２４に表示しながら、画像メモリ２５に記録する。ＤＳＰ４０は、動画撮影においてＬＰＦ動作させるときには、イメージセンサ２２が撮影した動画像を画像メモリ２５に記録する前から、イメージセンサ２２を動画撮影と同一のイメージセンサ撮影動作設定（画素サイズ、アスペクト比、フレームレート、インタレース／プログレッシブスキャン方式）で撮影動作させて、撮影した動画像をＬＣＤ２４に表示する。これにより、撮影した動画像を画像メモリ２５に記録する前と記録中において、同一のローパスフィルタ効果をＬＣＤ２４で確認できる。また、動画像の記録前後で撮影動作及びＬＰＦ動作が切り替わらないので、ＬＣＤ２４の表示がチラつくこともない。なお、ＤＳＰ４０は、動画撮影においてＬＰＦ動作しない場合、動画像を画像メモリ２５に記録しない間は撮影動作／イメージセンサ駆動モードを切り替えずにイメージセンサ２２をスルー画撮影動作させ、第２スイッチＳＷ２がオンされたとき、イメージセンサ２２を動画撮影動作に切り替えて、撮影した動画像を画像メモリ２５に記録する。
【００５６】
図８及び図９は、本実施形態のデジタルカメラ１０によるＬＰＦ動作をする場合の動画モード開始から動画モード終了までの動画撮影動作を示すフローチャートである。この動画撮影動作は、表示制御部４１、動画記録制御部４２、撮影動作制御部４３、撮影動作選択部４４を有するＤＳＰ４０により統括的に制御される。デジタルカメラ１０は、記録サイズ・フレームレート選択スイッチ２８により選択された、所定の記録サイズ、フレームレート及びスキャン方式のイメージセンサ駆動モードをメモリに保存しているものとする。ＤＳＰ４０は、この状態で電源スイッチがオンされたときに、動画モード（動画撮影動作）を開始する。
【００５７】
ＤＳＰ４０は、メモリに保存したイメージセンサ駆動モードを呼び出して、フレームレートとスキャン方式に応じたＬＰＦ動作用の駆動周波数・駆動振幅を設定する（Ｓ１１）。続いて、移動部材駆動回路６０を介して可動ステージ５２（イメージセンサ２２）の駆動（ＬＰＦ動作）を開始し（Ｓ１３）、イメージセンサ２２を動画撮影動作、つまり、動画像を画像メモリ２４に記録するときと同一の設定で動画撮影動作させる（Ｓ１５）。動画像を記録するときと同一の設定によるＬＰＦ動作及び動画撮影動作するので、画像メモリ２４に記録する動画像と同一のローパスフィルタ効果の動画像が得られる。
【００５８】
ＤＳＰ４０は、イメージセンサ２２を動画像を記録するときと同じ設定により動画撮影動作させ、出力した動画像を表示用画像サイズにリサイズ（圧縮）調整してＬＣＤ２４に表示する表示を開始する（Ｓ１７）。リサイズ調整は、画像メモリ２５に記録した動画像を読み出して、ＬＣＤ２４に表示するためにするリサイズ調整と同一の処理である。画像メモリ２４に記録する動画像と同じ動画像を、画像メモリ２４に記録した動画像を表示するときと同一の表示態様でＬＣＤ２４に表示できるので、ＬＣＤ２４に表示した動画像のモアレの出方、見え方（ローパスフィルタ効果）と略同一の動画像を画像メモリ２４に記録することができる。
【００５９】
例えば、従来は、動画像を記録しないスルー画像を表示するとき（ライブビュー撮影時）には、イメージセンサ２２を撮影動作させるフレームレートを下げたり、粗い画素間引きを行ったりして画像密度の粗いスルー画像を生成し、ＬＣＤ２４に表示していたので、スルー画像と記録中の動画像のローパスフィルタ効果の出方が異なる場合があった。本実施形態は、スルー画像の表示態様を記録中の撮影動作と動画像の表示態様と同様に行っており、スルー画像で確認した効果の動画像を記録でき、再生する場合も撮影中に確認したＬＰＦ効果と同様のＬＰＦ効果を得ている動画像の表示ができる。
【００６０】
ＤＳＰ４０は、メニューオン（ＭＥＮＵ  ＯＮ）か否か（メニューモードか否か）チェックする（Ｓ１９）。メニューは、図示しないメニュースイッチのオンを受けて別スレッドで動作するメニューモードあって、図７に示したメニュー画面をＬＣＤ２４に表示し、操作スイッチの操作を受けて、記録サイズとフレームレートを選択するユーザインタフェース（Ｕ／Ｉ）を構成している。ＤＳＰ４０は、メニューオンのとき（メニューモードのとき）（Ｓ１９：ＹＥＳ）、ユーザの操作によりフレームレートが変更されているか否かチェックする（Ｓ２１）。フレームレートが変更されていないとき（Ｓ２１：ＮＯ）ステップＳ２７に進み、フレームレートが変更されているとき（Ｓ２１：ＹＥＳ）、変更されたフレームレートに対応する駆動周波数・駆動振幅を設定し（Ｓ２３）、これらの駆動周波数・駆動振幅によるイメージセンサ駆動モードに変更して（Ｓ２５）ステップＳ２７に進む。ＤＳＰ４０は、ユーザの操作を受けてメニューモードに入り、フレームレート・スキャン方式を変更した場合、ユーザにより変更されたフレームレート・スキャン方式に連動して、駆動周波数・駆動振幅を変更する。ユーザのフレームレート・スキャン方式の変更操作に連動して駆動周波数・駆動振幅を変更することで、簡単にモアレや偽色の発生を軽減できる。
【００６１】
ＤＳＰ４０は、ステップＳ２７において、第１スイッチＳＷ１がオンしているか否か、未だ自動焦点調節動作を実行していないか否か（ＡＦ未動作か否か）チェックする。第１スイッチＳＷ１がオンしているときまたはＡＦ未動作のとき（Ｓ２７：ＹＥＳ）、コントラストＡＦ動作をする。この実施形態では、コントラストＡＦを高速化するために、イメージセンサ駆動モードを変更する（Ｓ２９）。例えば、イメージセンサ２２の駆動周波数（読み出し周期、フレームレート）を一時的に上昇させる。イメージセンサ２２の駆動周波数の上昇に応じて、ＬＰＦ動作の駆動周波数・駆動振幅（駆動周波数）を一時的に変更して（上昇させて）（Ｓ３１）、コントラストＡＦ動作を実行する（Ｓ３３）。コントラストＡＦ動作終了後、イメージセンサ２２の駆動周波数を元（上昇前）の設定に戻し（Ｓ３５）、ＬＰＦ動作の駆動周波数・駆動振幅を元（上昇前）の設定に戻して（Ｓ３７）ステップＳ３９に進む。以上のように、イメージセンサ２２の駆動周波数及びＬＰＦ動作の駆動周波数を一時的に上げてコントラストＡＦ動作することにより、ＡＦ動作の高速化を図りつつ、ＡＦ動作時のモアレを防ぎ、コントラストＡＦの精度を上げるとともに、ＬＣＤ２４に表示する動画像の品質を維持できる。
【００６２】
ＤＳＰ４０は、第２スイッチＳＷ２がオンしているか否かチェックする（Ｓ３９）。第２スイッチＳＷ２がオンしていないとき（Ｓ３９：ＮＯ）、録画モード終了か否かチェックし（Ｓ５１）、録画モード終了でないとき（Ｓ５１：ＮＯ）、ステップＳ１９のメニューチェックに戻って、ステップＳ１９からの処理を繰り返す（Ｓ１９乃至Ｓ５１：ＮＯ、Ｓ１９）。
【００６３】
ＤＳＰ４０は、第２スイッチＳＷ２がオンしたとき（Ｓ３９：ＹＥＳ）、動画像を画像メモリ２４に記録する記録（録画）動作を開始する（Ｓ４１）。この実施形態によれば、動画像の記録を開始する前後で同一の設定による動画撮影動作を継続するので、ＬＣＤ２４に表示される画像に乱れがなく、同一のモアレや偽色を除去した動画像が表示される。
【００６４】
そうしてＤＳＰ４０は、動画像を画像メモリ２４に記録しながら、ＬＰＦ操作スイッチ２７がオンしているか否かチェックし（Ｓ４３）、オンしていれば（Ｓ４３：ＹＥＳ）、オン状態に応じてＬＰＦ動作のオン／オフ、強度を切り換える。つまり、動画撮影中にローパスフィルタ操作スイッチ２７を押すと、ＬＰＦ動作の弱／強／ＯＦＦがトグルで切り替わる。ＬＰＦ操作スイッチ２７は、ＡＦスイッチＳＷＡＦスイッチ（親指ＡＦボタン）と共通化ができる。動画撮影中にモアレの出やすい被写体から、モアレの出にくい被写体へカメラを振ったタイミングで、ユーザがＬＰＦ動作をＯＮからＯＦＦに変更すると、モアレを抑えつつ解像を維持し、さらに焦点調節ができる。ＬＰＦ動作の弱／強／ＯＦＦの切り替え操作は、弱／強／ＯＦＦをＬＣＤ２４に表示し、ローパスフィルタ操作スイッチ２７の操作で選択するユーザインタフェースにより構成することができる。
【００６５】
ＤＳＰ４０は、続いて第２スイッチＳＷ２の状態をチェックし（Ｓ４７）、第２スイッチＳＷ２がオンしていないとき（Ｓ４７：ＮＯ）、動画の記録を継続した状態でステップＳ４３に戻ってＬＰＦ操作スイッチの状態をチェックし、ＬＰＦ操作スイッチがオンしておらず（Ｓ４３：ＮＯ）、第２スイッチＳＷ２がオンしたとき（Ｓ４７：ＹＥＳ）、動画の記録を終了し（Ｓ４９）、ステップＳ５１に進む。
【００６６】
ステップＳ５１において、動画モード終了でないとき（Ｓ５１：ＮＯ）、ステップＳ１９のメニューチェックに戻って、ステップＳ１９からの処理を繰り返し（Ｓ１９乃至Ｓ５１：ＮＯ、Ｓ１９）動画モード終了のとき（Ｓ５１：ＹＥＳ）、動画モードを終了する。
【００６７】
このように、本実施形態のデジタルカメラ（動画撮影装置）１０は、移動部材駆動回路（駆動信号生成部）６０が、像振れ補正装置（移動部材駆動機構）５０を介してイメージセンサ（移動部材）２２を光軸直交平面内で駆動するための駆動信号を生成する。その際、動画モードでローパスフィルタ動作オンのときは、動画モードで設定された記録サイズ・フレームレート・スキャン方式でローパスフィルタ動作しながら動画撮影し、撮影した動画像をＬＣＤ２４に表示する。これにより、均一でムラのない光学的なローパスフィルタ効果を実現し、モアレ縞や偽色などを安定して除去することができるとともに、ＬＣＤ２４には、実際の動画撮影と同一の設定により動画撮影された動画像が表示されるので、記録する動画像で得られるローパスフィルタ効果と同一のローパスフィルタ効果を、動画像の記録を開始する前及び記録中に正確に視認することができる。
【００６８】
以上の実施形態では、ＬＰＦ動作オンが設定されている場合、動画撮影開始時にＬＰＦ動作を開始し、動画像を画像メモリ２５に記録する前及び記録している間もＬＰＦ動作を継続しているが、本発明はこれに限定されるものではない。例えば、ユーザがローパスフィルタ操作スイッチを押下している間のみＬＰＦ動作を行う態様も可能である。ＤＳＰ４０は、ＬＰＦ動作を行っていない間、画像メモリ２５に記録される動画像より画像密度の粗いスルー画像を生成してＬＣＤ２４に表示し、ＬＰＦ動作を行っている間、画像メモリ２５に記録される動画像をＬＣＤ２４に表示してもよい。これにより、電力を節約しつつＬＰＦ効果を得たい場面で、ＬＣＤ２４に表示された動画像によりＬＰＦ効果を確認して、適切なＬＰＦ効果を得た動画像を記録することができる。
【００６９】
以上、本実施形態では、設定の切り替え等をスイッチ操作によるユーザインタフェースで行う構成としたが、本発明は、ＬＣＤ２４をタッチパネルにして、ＬＰＦ動作の弱／強／ＯＦＦの切り替え、記録サイズとフレームレートの設定などの設定変更を、ユーザがタッチパネルをタッチして操作可能な構成にしてもよい。
【００７０】
以上の実施形態では、イメージセンサ２２を「移動部材」として、このイメージセンサ２２を光軸直交平面内で駆動する態様を例示して説明したが、本発明はこれに限定されるものではない。例えば、撮影レンズ群（撮影光学系）３１の一部をなすレンズを「移動部材」として、このレンズを撮影レンズ３０内に設けたボイスコイルモータ（移動部材駆動機構）によって光軸と異なる方向に駆動する態様も可能である。この態様であっても、イメージセンサ２２上への被写体像の結像位置を変位させて像振れを補正するとともに、被写体光束をイメージセンサ２２の検出色の異なる複数の画素に入射させて光学的なローパスフィルタ効果を得ることができる。
【００７１】
以上の実施形態では、像振れ補正装置（移動部材駆動機構）５０の構成として、固定支持基板５１に磁石Ｍ１、Ｍ２、Ｍ３及びヨークＹ１、Ｙ２、Ｙ３を固定し、可動ステージ５２に駆動用コイルＣ１、Ｃ２、Ｃ３を固定した場合を例示して説明したが、この位置関係を逆にして、可動ステージに磁石及びヨークを固定し、固定支持基板に駆動用コイルを固定する態様も可能である。
【００７２】
以上の実施形態では、ボディ本体２０と撮影レンズ３０を着脱可能（レンズ交換可能）とする態様を例示して説明したが、ボディ本体２０と撮影レンズ３０を着脱不能（レンズ交換不能）とする態様も可能である。
【００７３】
以上の実施形態ではミラーレスカメラに適用した態様を例示したが、ミラーを有する一眼レフカメラなど、動画撮影できるカメラにも適用可能である。一眼レフカメラの場合は、スルー画撮影が、ミラーアップ及びシャッタを開放して撮影し、動画像を画像モニタに表示しながら動画撮影するライブビュー撮影に対応する。
【００７４】
以上の実施形態では、デジタルカメラ１０が被写体の動画像を撮影するための構成及び動作について説明したが、デジタルカメラ１０は被写体の静止画像を撮影することも勿論可能である。
【符号の説明】
【００７５】
１０  デジタルカメラ（動画撮影装置）
２０  ボディ本体
２１  シャッタ（撮影光学系）
２２  イメージセンサ（移動部材、振れ補正部材）
２２ａ  画素
Ｒ  Ｇ  Ｂ  カラーフィルタ
２４  ＬＣＤ（画像表示部）
２５  画像メモリ（画像記録部）
２６  撮影操作スイッチ（第１スイッチＳＷ１、第２スイッチＳＷ２、ＡＦスイッチＳＷＡＦ）
２７  ローパスフィルタ操作スイッチ
２８  記録サイズ・フレームレート選択スイッチ
ＧＳ  ジャイロセンサ
３０  撮影レンズ
３１  撮影レンズ群（撮影光学系、移動部材）
３２  絞り（撮影光学系）
３３  通信用メモリ
４０  ＤＳＰ（設定制御部）
４１  表示制御部
４２  動画記録制御部
４３  撮影動作制御部
４４  撮影動作選択部
５０  像振れ補正装置（移動部材駆動機構）
５１  固定支持基板
５２  可動ステージ
Ｍ１  Ｍ２  Ｍ３  磁石
Ｙ１  Ｙ２  Ｙ３  ヨーク
Ｃ１  Ｃ２  Ｃ３  駆動用コイル
Ｈ１  Ｈ２  Ｈ３  ホールセンサ
６０  移動部材駆動回路（駆動信号生成部）
６１  加算部
６２  ゲイン部
６３  微小振動用信号生成部
６４  ＬＰＦスイッチ
６５  重畳合成部
６６  コントローラ
【図１】
0006586732.tif 000003
【図２】
0006586732.tif 000004
【図３】
0006586732.tif 000005
【図４】
0006586732.tif 000006
【図５】
0006586732.tif 000007
【図６】
0006586732.tif 000008
【図７】
0006586732.tif 000009
【図８】
0006586732.tif 000010
【図９】
0006586732.tif 000011
【図１０】
0006586732.tif 000012